(57)【要約】  表示装置で表示するためにデジタルビデオ信号を処理する方法は、符号化されたデジタルビデオ信号を復号化し、ビデオソースフォーマットを有する復号化されたデジタルビデオ信号を生成する段階、符号化されたデジタルビデオ信号からビデオ符号化情報を引き出す段階、ビデオ画質改善アルゴリズムをビデオソースフォーマットを有する復号化されたデジタルビデオ信号に対し、引き出された符号化情報を用い実行し、ビデオソースフォーマットを有する処理された復号化されたデジタルビデオ信号を生成する段階、及び処理された復号化されたデジタルビデオ信号を、ビデオソースフォーマットから表示装置での表示に適したビデオ表示フォーマットへ変換する段階、を有する。前記システム及び方法は、ビデオ信号が復号化された後、表示装置で表示される前に、ビデオ信号に対し、画質を改善し及び／又はビデオアーティファクトを低減し得る。【特許請求の範囲】
【請求項１】
デジタルビデオ信号を処理する方法であって、
符号化されたデジタルビデオ信号を復号化し、約２４フレーム／秒のフレームレートのプログレッシブスキャンフォーマットを有する復号化されたデジタルビデオ信号を生成する段階、
前記符号化されたデジタルビデオ信号から少なくとも１つのビデオ符号化測定基準を計算する段階、
ビデオ画質改善アルゴリズムを、約２４フレーム／秒のフレームレートのプログレッシブスキャンフォーマットを有する前記復号化されたデジタルビデオ信号に対し、前記計算されたビデオ符号化測定基準を用い実行し、約２４フレーム／秒のフレームレートのプログレッシブスキャンフォーマットを有する処理された復号化されたデジタルビデオ信号を生成する段階、及び
前記処理された復号化されたデジタルビデオ信号を、約２４フレーム／秒のフレームレートのプログレッシブスキャンフォーマットから、約５０フィールド／秒又は約６０フィールド／秒のインターレースフォーマットへ変換する段階、
を有する、デジタルビデオ信号処理方法。
【請求項２】
少なくとも１つのビデオ符号化測定基準を計算する段階は、デジタルビデオ処理に対する統一測定基準（Unified  Metric  For  Digital  Video  Processing、ＵＭＤＶＰ）値を計算する段階を有する、請求項１記載の方法。
【請求項３】
前記ビデオ符号化測定基準は、少なくとも１つの量子化パラメータ又は前記符号化されたデジタルビデオ信号の輝度ブロックを符号化するために利用される複数のビットを利用して計算される、請求項１記載の方法。
【請求項４】
前記処理された復号化されたビデオ信号を、約２４フレーム／秒形式のフレームレートのプログレッシブスキャンフォーマットから、約６０フィールド／秒のインターレースフォーマットへ変換する段階は、３：２プルダウンアルゴリズムを有する、請求項１記載の方法。
【請求項５】
前記処理された復号化されたビデオ信号を、約２４フレーム／秒形式のフレームレートのプログレッシブスキャンフォーマットから、約５０フィールド／秒のインターレースフォーマットへ変換する段階は、２：２プルダウンアルゴリズムを有する、請求項１記載の方法。
【請求項６】
表示装置で表示するためにデジタルビデオ信号を処理する方法であって、
符号化されたデジタルビデオ信号を復号化し、ビデオソースフォーマットを有する復号化されたデジタルビデオ信号を生成する段階、
前記符号化されたデジタルビデオ信号から少なくとも１つのビデオ符号化測定基準を計算する段階、
ビデオ画質改善アルゴリズムをビデオソースフォーマットを有する前記復号化されたデジタルビデオ信号に対し、前記計算されたビデオ符号化測定基準を用い実行し、ビデオソースフォーマットを有する処理された復号化されたデジタルビデオ信号を生成する段階、及び
前記処理された復号化されたデジタルビデオ信号を、ビデオソースフォーマットから表示装置での表示に適したビデオ表示フォーマットへ変換する段階、
を有する、デジタルビデオ信号処理方法。
【請求項７】
前記ビデオソースフォーマットは、約２４フレーム／秒のプログレッシブスキャンである、請求項６記載の方法。
【請求項８】
前記ビデオ表示フォーマットは、約６０フィールド／秒のインターレースである、請求項６記載の方法。
【請求項９】
前記ビデオ表示フォーマットは、約５０フィールド／秒のインターレースである、請求項６記載の方法。
【請求項１０】
少なくとも６つのビデオ符号化測定基準を計算する段階は、デジタルビデオ処理に対する統一測定基準（Unified  Metric  For  Digital  Video  Processing、ＵＭＤＶＰ）値を計算する段階を有する、請求項６記載の方法。
【請求項１１】
前記ビデオ符号化測定基準は、少なくとも１つの量子化パラメータ又は前記符号化されたデジタルビデオ信号の輝度ブロックを符号化するために利用される複数のビットを利用して計算される、請求項６記載の方法。
【請求項１２】
前記処理された復号化されたビデオ信号を、ビデオソースフォーマットからビデオ表示フォーマットへ変換する段階は、３：２プルダウンアルゴリズムを実行する段階を有する、請求項６記載の方法。
【請求項１３】
前記処理された復号化されたビデオ信号を、ビデオソースフォーマットからビデオ表示フォーマットへ変換する段階は、２：２プルダウンアルゴリズムを実行する段階を有する、請求項６記載の方法。
【請求項１４】
表示装置で表示するためにデジタルビデオ信号を処理するシステムであって、
符号化されたデジタルビデオ信号を復号化し、復号化されたデジタルビデオ信号をソースフレームレートで生成する復号器、
前記符号化されたデジタルビデオ信号からビデオ符号化測定基準を計算するビデオ符号化測定基準計算モジュール、
ビデオ画質改善アルゴリズムをソースフレームレートで前記復号化されたデジタルビデオ信号に対し、前記計算されたビデオ符号化測定基準を用い実行し、処理された復号化されたデジタルビデオ信号を生成する後処理装置、及び
前記処理された復号化されたビデオ信号を、ソースフレームレートから表示装置での表示に適した表示フレームレートへ変換するフォーマット変換器、
を有する、デジタルビデオ信号処理システム。
【請求項１５】
前記ビデオソースフォーマットは、約２４フレーム／秒のプログレッシブスキャンである、請求項１４記載のシステム。
【請求項１６】
前記ビデオ表示フォーマットは、約５０フィールド／秒又は約６０フィールド／秒の何れか１つのインターレースである、請求項１４記載のシステム。
【請求項１７】
ビデオ符号化測定基準計算モジュールは、デジタルビデオ処理に対する統一測定基準（Unified  Metric  For  Digital  Video  Processing、ＵＭＤＶＰ）値を計算する、請求項１４記載のシステム。
【請求項１８】
前記引き出された符号化情報は、少なくとも１つの量子化パラメータ又は前記符号化されたデジタルビデオ信号の輝度ブロックを符号化するために利用される複数のビットを利用して計算される、請求項１４記載のシステム。
【請求項１９】
前記フォーマット変換器は、３：２プルダウンアルゴリズムを実行する、請求項１４記載のシステム。
【請求項２０】
前記フォーマット変換器は、２：２プルダウンアルゴリズムを実行する、請求項１４記載のシステム。
【発明の詳細な説明】
【技術分野】
【０００１】
本発明は、デジタルビデオ信号処理に関し、より詳細にはビデオ画質を向上する及び／又は符号化されたビデオ信号からの符号化データを利用することにより復号化されたビデオ信号の符号化アーティファクトを低減するシステム及び方法に関する。
【背景技術】
【０００２】
ＭＰＥＧ（Ｍｏｖｉｎｇ  Ｐｉｃｔｕｒｅ  Ｅｘｐｅｒｔ  Ｇｒｏｕｐ）ビデオ圧縮又は符号化技術は、少ない記憶容量及び少ない帯域しか必要ないので、多くの現在の及び新しいビデオ製品（例えば、ＤＶＤプレイヤー、高精細度テレビ復号器、及びビデオ会議）を容易にしている。しかしながら、このような不可逆の圧縮技術（ＭＰＥＧ−１、ＭＰＥＧ−２、ＭＰＥＧ−４、Ｈ．２６ｘ、等）は、符号化アーティファクトを導入し画質の低下を生じ得る。
【０００３】
帯域効率を達成するため、しばしば低ビットレートが選択される。ビットレートが低いほど、圧縮符号化及び復号化処理により導入される欠陥は好ましくないものになる。例えば、標準精細度ビデオのデジタル地上波テレビ放送では、６Ｍｂｉｔ／ｓのビットレートは、画質と送信帯域効率の間で妥当であると考えられる（非特許文献１を参照）。しかしながら、放送局は、デジタルテレビジョンチャネル当たりにより多くの番組を提供できるよう、しばしば６Ｍｂｉｔ／ｓより遙かに低いビットレートを有するデジタルビデオ信号を放送する。従って、アーティファクトが生成され、画質が低下する。
【０００４】
従って、近年、２００３年１１月２８日出願の名称「システム・アンド・メソッド・フォー・ジョイント・ビデオ・エンハンスメント・アンド・アーティファクト・リダクション・フォー・コーディッド・デジタル・ビデオ」の特許文献１に記載されたように、ビデオ表示装置は、表示のために復号化されたビデオ信号を後処理し、画質を向上し及び／又はビデオアーティファクトを低減するシステム及び方法を設けている。
【０００５】
ところで、ＤＶＤ、ビデオテープ、放送信号、等のようなデジタルビデオ信号源は、しばしば表示されるべき異なるビデオ形式にデジタル方式で圧縮又は符号化された符号化ビデオ信号を提供する。例えば、動画／フィルムシーケンスは、一般にプログレッシブスキャン方式で、何十年間も利用されている２４フレーム／秒のフレームレートで符号化又は圧縮される。一方、テレビジョン受信機のような多くのビデオ表示装置は、５０又は６０フィールド／秒のインターレースビデオ表示方式を用いビデオ信号を表示する。
【０００６】
図１は、符号化されたデジタルビデオ信号からの符号化情報を用い、ビデオ信号を改善する及び／又はアーティファクトを低減するシステム及び方法を説明するブロック図の例である。符号化されたデジタルビデオ信号は、ＭＰＥＧ−１、ＭＰＥＧ−２、ＭＰＥＧ−４、Ｈ．２６ｘ、又は如何なる他の所望のビデオ符号化規格を用いて符号化されていて良い。説明を簡単にするため、以後、符号化されたデジタルビデオ信号はＭＰＥＧ−２規格に従い符号化されているとする。更に、図１の例では、符号化されたデジタルビデオ信号は、２４フレーム／秒のフレームレートで符号化されているフィルムシーケンスを表す。
【０００７】
ブロック１１０で、ビデオ復号器は、符号化又は圧縮されたデジタルビデオ信号を復号化する。ブロック１１０は、符号化されたデジタルビデオ信号を符号化するために如何なる規格が利用されているかに従い、適切な復号化を提供する。ブロック１１０は、ビデオソースフォーマット（例えば、２４フレーム／秒のプログレッシブスキャン）を有する、復号化されたデジタルビデオ信号を出力する。このようなビデオ復号器の動作及び構成は、当業者には良く理解されているだろう。
【０００８】
次にブロック１２０で、フォーマット変換器は、復号化されたデジタルビデオ信号のビデオソースフォーマットを特定のテレビジョン受信機又は表示装置による表示に適したビデオ表示フォーマットに変換する。図１の例では、標準的な３：２プルダウンアルゴリズムが利用され、復号化されたデジタルビデオ信号を、２４フレーム／秒のプログレッシブスキャンであるビデオソースフォーマットから、約６０フィールド／秒のインターレースであるビデオ表示フォーマットへ変換する。代案として、表示フォーマットは、約５０フィールド／秒のインターレースであって良い。この場合、代わりに２：２プルダウンが実行される。ブロック１２０は、ビデオ表示フォーマット（例えば、６０フィールド／秒のインターレース）を有する、フォーマット変換された復号化されたデジタルビデオ信号を出力する。再び、このような３：２又は２：２プルダウンアルゴリズムを実施するフォーマット変換器の動作及び構成は、当業者には良く理解されているだろう。
【０００９】
一方では、ブロック１３０で、ビデオ符号化測定基準計算モジュールは、符号化されたデジタルビデオ信号に対し、符号化情報及び／又は符号化されたビデオ信号の他の特徴を用い、１つ以上のビデオ符号化測定基準を計算する。例えば、符号化されたデジタルビデオ信号がＭＰＥＧ−２ビデオデータストリームである場合、このような符号化情報は、量子化パラメータ（ｑ＿ｓｃａｌｅ）、輝度ブロックの符号化に用いたビット数（ｎｕｍ＿ｂｉｔｓ）、等を有して良い。このような符号化情報は、符号化されたデジタルビデオ信号のビットストリームの中で提供されて良い。アルゴリズムの例は、例えば、特許文献２、出願日２００３年１２月４日、名称「ア・ユニファイド・メトリック・フォー・デジタル・ビデオ・プロセッシング（A  Unified  Metric  For  Digital  Video  Processing  (UMDVP)）」に記載されている。ブロック１３０は、ビデオソースフォーマット（例えば、２４フレーム／秒、フィルムシーケンス）を有する、復号化されたデジタルビデオ信号に対応する、ビデオ符号化の測定基準を出力する。
【００１０】
次に、ブロック１４０で、ビデオ符号化測定基準変換モジュールは、ブロック１３０により出力されたビデオ符号化測定基準情報を、ブロック１２０でフォーマット変換器により出力されたフォーマット変換された復号化されたデジタルビデオ信号に対応するフォーマットに変換する。つまり、ブロック１４０は、入力において、ビデオソースフォーマット（例えば、２４フレーム／秒、フィルムシーケンス）を有する復号化されたデジタルビデオ信号に対応する、ビデオ符号化測定基準の出力を受信し、受信されたビデオ符号化測定基準に対し変換アルゴリズムを実行し、及びビデオ表示フォーマット（例えば、約６０フィールド／秒のインターレース）を有するブロック１２０により出力されたフォーマット変換された復号化されたデジタルビデオ信号に対応する、変換されたビデオ符号化測定基準を出力する
最後に、ブロック１５０で、変換されたビデオ符号化測定基準は、フォーマット変換された復号化されたデジタルビデオ信号において、画質を改善する（例えば、鮮明化の改善、解像度の改善、等）及び／又はビデオ圧縮アーティファクトを低減するアルゴリズムで利用される。
【００１１】
従って、以上に説明されたシステム及び方法は、ビデオ信号が復号化された後、表示装置で表示される前に、ビデオ信号に対し、画質を改善し及び／又はビデオアーティファクトを低減し得る。
【００１２】
しかしながら、このようなシステム及び方法は、いくつかの不利点に苦しんでいる。ビデオ符号化測定基準が、ビデオ表示フォーマットを有するフォーマット変換された復号化されたデジタルビデオ信号に適用され得るよう、ビデオ符号化測定基準を変換することは、計算負荷が大きい。また、アーティファクト低減アルゴリズムは、空間的に隣接する画素の間でアーティファクトを捜す傾向がある。これらアルゴリズムをインターレースビデオデータに適用することは、比較的複雑である。更に、画質改善及び／又はビデオ圧縮アーティファクト低減アルゴリズムにより生成された結果の品質は、十分ではない。２４フレーム／秒のプログレッシブスキャン信号のビデオ符号化測定基準が、例えば、ビデオ表示レート５０又は６０フィールド／秒のインターレース信号に適用される方法に関し、想定されなければならない。
【特許文献１】国際特許出願番号第ＩＢ２００３／００５５号
【特許文献２】国際特許出願番号第ＩＢ２００３／００５７号
【非特許文献１】ピー・エヌ・チューダー（P.N.Tudor）、エムペグツー・ビデオ・コンプレッションズ（MPEG-２  Video  Compressions）、アイイーイーイー・エレクトロニクス・アンド・コミュニケーション・エンジニアリング・ジャーナル（IEEE  Electronics  &  Communication  Engineering  Journal）、１９９５年１２月、ｐ．２５７−２６４
【発明の開示】
【発明が解決しようとする課題】
【００１３】
符号化情報及び／又は符号化されたデジタルビデオ信号の他の特徴から引き出される１つ以上のビデオ符号化測定基準を用い、ビデオ画質を改善する及び／又はアーティファクトを低減する改良されたシステム及び方法を提供することが望ましい。本発明は、これら１つ以上の問題の解決に関する。
【課題を解決するための手段】
【００１４】
本発明のある態様では、デジタルビデオ信号を処理する方法は、符号化されたデジタルビデオ信号を復号化し、約２４フレーム／秒のフレームレートのプログレッシブスキャンフォーマットを有する復号化されたデジタルビデオ信号を生成する段階、符号化されたデジタルビデオ信号から少なくとも１つのビデオ符号化測定基準を計算する段階、ビデオ画質改善アルゴリズムを、約２４フレーム／秒のフレームレートのプログレッシブスキャンフォーマットを有する復号化されたデジタルビデオ信号に対し、計算されたビデオ符号化測定基準を用い実行し、約２４フレーム／秒のフレームレートのプログレッシブスキャンフォーマットを有する処理された復号化されたデジタルビデオ信号を生成する段階、及び処理された復号化されたデジタルビデオ信号を、約２４フレーム／秒のフレームレートのプログレッシブスキャンフォーマットから、約５０フィールド／秒又は約６０フィールド／秒のインターレースフォーマットへ変換する段階、を有する。
【００１５】
本発明の別の態様では、表示装置で表示するためにデジタルビデオ信号を処理する方法は、符号化されたデジタルビデオ信号を復号化し、ビデオソースフォーマットを有する復号化されたデジタルビデオ信号を生成する段階、符号化されたデジタルビデオ信号から少なくとも１つのビデオ信号符号化測定基準を計算する段階、ビデオ画質改善アルゴリズムをビデオソースフォーマットを有する復号化されたデジタルビデオ信号に対し、計算されたビデオ符号化測定基準を用い実行し、ビデオソースフォーマットを有する処理された復号化されたデジタルビデオ信号を生成する段階、及び処理された復号化されたデジタルビデオ信号を、ビデオソースフォーマットから表示装置での表示に適したビデオ表示フォーマットへ変換する段階、を有する。
【００１６】
本発明の更に別の態様では、表示装置で表示するためにデジタルビデオ信号を処理するシステムは、符号化されたデジタルビデオ信号を復号化する復号器、復号化されたデジタルビデオ信号を生成する段階、符号化されたデジタルビデオ信号からビデオ信号符号化測定基準を計算するビデオ符号化測定基準計算モジュール、ビデオ画質改善アルゴリズムをソースフレームレートで復号化されたデジタルビデオ信号に対し、計算されたビデオ符号化測定基準を用い実行し、処理された復号化されたデジタルビデオ信号を生成する後処理装置、及び処理された復号化されたビデオ信号を、ソースフレームレートから表示装置での表示に適した表示フレームレートへ変換するフォーマット変換器、を有する。
【発明を実施するための最良の形態】
【００１７】
本願明細書は、３５ＵＳＣ１２０及び３５ＵＳＣ３６５（ｃ）に基づき国際特許出願番号ＩＢ２００３／００５７、出願日２００３年１２月４日、発明の名称「ア・ユニファイド・メトリック・フォー・デジタル・ビデオ・プロセッシング（A  Unified  Metric  For  Digital  Video  Processing  (UMDVP)」、発明者ボロツキー（Boroczky）他、及び国際特許出願番号ＩＢ２００３／００５５、出願日２００３年１１月２８日、発明の名称「システム・アンド・メソッド・フォー・ジョイント・ビデオ・エンハンスメント・アンド・アーティファクト・リダクション・フォー・コーディッド・デジタル・ビデオ（System  and  Method  for  Joint  Video  Enhancement  and  Artifact  Reduction  for  Coded  Digital  Video）」、発明者ボロツキー（Boroczky）他、米国特許出願１０／０２９８２８に優先権を主張する。これら全ての出願は、参照することにより本願明細書に全て記載されているように本願明細書に組み込まれる。
【００１８】
図２は、本発明の１つ以上の態様による、符号化されたビデオ信号からの符号化情報を用い、ビデオ信号を改善する及び／又はアーティファクトを低減するシステム及び方法を説明するブロック図の例である。
【００１９】
符号化されたデジタルビデオ信号は、ＭＰＥＧ−１、ＭＰＥＧ−２、ＭＰＥＧ−４、Ｈ．２６ｘ、又は如何なる他の所望のビデオ符号化規格を用いて符号化されていて良い。説明を簡単にするため、以後、符号化されたビデオ信号はＭＰＥＧ−２規格に従い符号化されているとする。更に、図２の例では、デジタルビデオ信号は、２４フレーム／秒のフレームレートで符号化されているフィルムシーケンスを表す。
【００２０】
ブロック２１０で、ビデオ復号器は、符号化又は圧縮されたデジタルビデオ信号を復号化する。ブロック２１０は、デジタルビデオ信号を符号化するために如何なる規格が利用されているかに従い、適切な復号化を提供する。ブロック２１０は、ビデオソースフォーマット（例えば、２４フレーム／秒のプログレッシブスキャン）を有する、復号化されたデジタルビデオ信号を出力する。このようなビデオ復号器の動作及び構成は、当業者には良く理解されているだろう。
【００２１】
一方では、ブロック２２０で、ビデオ符号化測定基準計算モジュールは、符号化されたデジタルビデオ信号に対し、符号化情報及び／又は符号化されたビデオ信号の他の特徴を用い、１つ以上のビデオ符号化測定基準を計算する。例えば、符号化されたデジタルビデオ信号がＭＰＥＧ−２ビデオデータストリームである場合、このような符号化情報は、量子化パラメータ（ｑ＿ｓｃａｌｅ）、輝度ブロックの符号化に用いたビット数（ｎｕｍ＿ｂｉｔｓ）、等を有して良い。このような符号化情報は、符号化されたデジタルビデオ信号のビットストリームの中で提供されて良い。アルゴリズムの例は、例えば、特許文献２、出願日２００３年１２月４日、名称「A  Unified  Metric  For  Digital  Video  Processing  (UMDVP)」に記載されている。ブロック２２０は、ビデオソースフォーマット（例えば、２４フレーム／秒、フィルムシーケンス）を有する、復号化されたデジタルビデオ信号に対応する、ビデオ符号化測定基準を出力する。
【００２２】
次に、ブロック２３０で、後処理装置は、計算されたビデオ符号化測定基準を用い、１つ以上の画質を改善する及び／又はビデオ圧縮アーティファクトを低減するアルゴリズムを利用することにより、復号化されたデジタルビデオ信号において、画質を改善し（例えば、鮮明化の改善、解像度の改善、等）及び／又はビデオ圧縮アーティファクトを低減する。有利なことに、後処理装置２３０は、元のビデオソースフォーマットのままである復号化されたデジタルビデオ信号に対し動作する。従って、空間的に隣接する画素の間のアーティファクトを識別することが容易になる。更に、画質を改善する及び／又はビデオ圧縮アーティファクトを低減するアルゴリズムにより生成された結果の品質は、例えば、２４フレーム／秒のプログレッシブスキャン信号のビデオ符号化測定基準が、ビデオ表示レート５０又は６０フィールド／秒のインターレース信号に適用される方法に関し、如何なる条件も必要ないので、向上される。
【００２３】
最後にブロック２４０で、フォーマット変換器は、処理された復号化されたデジタルビデオ信号のビデオソースフォーマットを特定のテレビジョン受信機又は表示装置による表示に適したビデオ表示フォーマットに変換する。図２の例では、標準的な３：２プルダウンアルゴリズムが利用され、処理された復号化されたデジタルビデオ信号を、２４フレーム／秒のプログレッシブスキャンであるビデオソースフォーマットから、約６０フィールド／秒のインターレースであるビデオ表示フォーマットへ変換する。代案として、表示フォーマットは、約５０フィールド／秒のインターレースであって良い。この場合、代わりに２：２プルダウンが実行される。ブロック２４０は、ビデオ表示フォーマット（例えば、約６０フィールド／秒又は約５０フィールド／秒のインターレース）を有する、フォーマット変換された処理された復号化されたデジタルビデオ信号を出力する。再び、このような３：２又は２：２プルダウンアルゴリズムを実施するフォーマット変換器の動作及び構成は、当業者には良く理解されているだろう。
【００２４】
従って、以上に説明されたシステム及び方法は、ビデオ信号が復号化された後、表示装置で表示される前に、ビデオ信号に対し、画質を改善し及び／又はビデオアーティファクトを低減し得る。特に、計算負荷は、図１に示されたシステム及び方法と比較して有意に低減される。
【００２５】
本願明細書は実施例を開示したが、本発明の原理と範囲に包含される多くの変形が可能である。このような変形は、本願明細書の明細書、図面及び特許請求の範囲を参照することにより、当業者には明らかである。本発明は、従って、特許請求の範囲以外で制限されるべきではない。
【図面の簡単な説明】
【００２６】
【図１】符号化されたビデオ信号からの符号化情報を用い、ビデオ信号を改善する及び／又はアーティファクトを低減するシステム及び方法を説明するブロック図の例である。
【図２】本発明の１つ以上の態様による、符号化されたビデオ信号からの符号化情報を用い、ビデオ信号を改善する及び／又はアーティファクトを低減するシステム及び方法を説明するブロック図の例である。
【図１】
2007531450.tif 000002
【図２】
2007531450.tif 000003
【国際調査報告】
2007531450.tif 000004
2007531450.tif 000005
2007531450.tif 000006